(57)【要約】【課題】足裏の形に関わらず脚全体の美しさや健康に役立つ靴中敷および靴底を提供する。【解決手段】靴中敷１０等は、足指部Ａより後方における外側縁部に形成される外側突出部２２と、足指部Ａより後方における内側縁部に形成される内側突出部２３と、外側突出部２２と内側突出部２３との間に形成される中間凹状部２４と、を有し、中間凹状部２４は、左右方向の中心から内側にずれている。外側突出部２２の突出量は、内側突出部２３の突出量よりも大きくする。【選択図】  図２
2019076344.tif 000002
【特許請求の範囲】
【請求項１】
足指部より後方における外側縁部に形成される外側突出部と、
足指部より後方における内側縁部に形成される内側突出部と、
前記外側突出部と前記内側突出部との間に形成される中間凹状部と、
を有し、
前記中間凹状部は、内側にずれていることを特徴とする靴中敷。
【請求項２】
前記外側突出部の突出量は、前記内側突出部の突出量よりも大きくすることを特徴とする請求項１に記載の靴中敷。
【請求項３】
前記中間凹状部から前記外側突出部の最外縁部まで、および、前記中間凹状部から前記内側突出部の最内縁部まで、における各外表面は、漸次上昇して傾斜するように形成されることを特徴とする請求項１または請求項２に記載の靴中敷。
【請求項４】
前記中間凹状部から前記外側突出部の前記最外縁部まで、および、前記中間凹状部から前記内側突出部の前記最内縁部まで、における前記各外表面が漸次上昇して傾斜する各傾斜角度は、前記外側突出部よりも前記内側突出部の方を大きくすることを特徴とする請求項３に記載の靴中敷。
【請求項５】
前記外側突出部および前記内側突出部は、踵部まで延設されて接続することを特徴とする請求項１乃至請求項４のいずれか一項に記載の靴中敷。
【請求項６】
踏付け部には、前側突出部が形成されることを特徴とする請求項１乃至請求項５のいずれか一項に記載の靴中敷。
【請求項７】
前記前側突出部は、四角形状の外形形状とされ、前側の内側角部が前側の外側角部よりも前側に位置して前記前側の内側角部と前記前側の外側角部との接続線が内側から外側に下るように形成されると共に該接続線は足指部の後端ラインに沿うように形成され、後側の内側角部が後側の外側角部よりも前側に位置して前記後側の内側角部と前記後側の外側角部との接続線の中央部が前方に向けて窪んで形成され、
前記外側突出部および前記内側突出部は、前記前側突出部よりも後方に形成されることを特徴とする請求項６に記載の靴中敷。
【請求項８】
前記外側突出部、前記内側突出部および前記中間凹状部を含む本体は、軟質材からなり、
前記本体は、前記本体の踏まず部から踵部までの裏面を覆う後方支持部材を備え、当該後方支持部材は前記本体よりも硬質な硬質材からなることを特徴とする請求項６乃至請求項７のいずれか一項に記載の靴中敷。
【請求項９】
前記軟質材および前記硬質材は、それぞれ軟質発泡材および硬質発泡材とすることを特徴とする請求項８に記載の靴中敷。
【請求項１０】
前記後方支持部材には、前記本体の裏面が露出する踵開口部が踵部に形成されることを特徴とする請求項９に記載の靴中敷。
【請求項１１】
前記後方支持部材には、前記踏まず部の外側縁部に前記本体の裏面が露出する外側開口部が形成されることを特徴とする請求項９または請求項１０に記載の靴中敷。
【請求項１２】
前記後方支持部材の前端は、前記前側突出部の後端よりも後方に位置することを特徴とする請求項１１に記載の靴中敷。
【請求項１３】
前記後方支持部材の前端には、円弧状の円弧突起が左右方向に亘って形成されることを特徴とする請求項１０乃至請求項１２のいずれか一項に記載の靴中敷。
【請求項１４】
前記後方支持部材の外表面の踏まず部には、湾曲した形状の溝が形成されることを特徴とする請求項１０乃至請求項１３のいずれか一項に記載の靴中敷。
【請求項１５】
前記後方支持部材の外表面の踏まず部には、中央軸線上に、外周を溝状として開口側を内側に向ける三日月部と、該三日月部よりも内側には円弧状の複数の凹溝が形成されて、前記三日月部の内側の円弧の曲率と前記複数の凹溝の円弧の曲率は同じであることを特徴とする請求項１０乃至請求項１３のいずれか一項に記載の靴中敷。
【請求項１６】
前記後方支持部材の外表面の前記踵部には、溝が前記踵部の外周縁部に配置されることを特徴とする請求項１０乃至請求項１５のいずれか一項に記載の靴中敷。
【請求項１７】
前記後方支持部材の外表面の前記踵部には、溝が前記踵部の外周縁部にＵ字状となるよう複数配置されることを特徴とする請求項１０乃至請求項１５のいずれか一項に記載の靴中敷。
【請求項１８】
足指部より後方における外側縁部に形成される外側突出部と、
足指部より後方における内側縁部に形成される内側突出部と、
前記外側突出部と前記内側突出部との間に形成される中間凹状部と、
を有し、
前記中間凹状部は、内側にずれていることを特徴とする靴底。
【請求項１９】
踏付け部には、前側突出部が形成されることを特徴とする請求項１８に記載の靴底。
【請求項２０】
前記外側突出部、前記内側突出部および前記中間凹状部を含む本体は、軟質材からなり、
前記本体は、前記本体の踏まず部から踵部までの裏面を覆う後方支持部材を備え、当該後方支持部材は前記本体よりも硬質な硬質材からなることを特徴とする請求項１８または請求項１９に記載の靴底。
【請求項２１】
前記後方支持部材には、前記本体の裏面が露出する踵開口部が踵部に形成されることを特徴とする請求項２０に記載の靴底。
【請求項２２】
前記後方支持部材には、前記踏まず部の外側縁部に前記本体の裏面が露出する外側開口部が形成されることを特徴とする請求項２０または請求項２１に記載の靴底。
【請求項２３】
前記後方支持部材の外表面の踏まず部には、湾曲した形状の溝が形成されることを特徴とする請求項２０乃至請求項２２のいずれか一項に記載の靴底。
【請求項２４】
前記後方支持部材の外表面の前記踵部には、溝が前記踵部の外周縁部に複数配置されることを特徴とする請求項２０乃至請求項２３のいずれか一項に記載の靴底。
【発明の詳細な説明】
【技術分野】
【０００１】
本発明は、靴中敷および靴底に関する。
【背景技術】
【０００２】
従来から、足（脚）の健康に資する靴中敷が提供されている。例えば、特許文献１の靴中敷は、足の土踏まずの高さを標準的な足形に設定することにより理想的なアーチを維持して足のバランスを標準値に回復させる機能を有する。
【先行技術文献】
【特許文献】
【０００３】
【特許文献１】特許第５８５８４５０号公報
【発明の概要】
【発明が解決しようとする課題】
【０００４】
特許文献１の靴中敷きは、足の裏の形を標準的な形に回復させて、足の安定性およびフィット感を高めることができる。しかしながら、元々足の裏の形が標準的な形の人であっても脚全体の美しさや健康を求める場合があり、このような場合には特許文献１の靴中敷では満足できない場合があった。
【０００５】
本発明は、足裏の形に関わらず脚全体の美しさや健康が期待できる靴中敷および靴底を提供することを目的とする。
【課題を解決するための手段】
【０００６】
上記目的を達成するために、本発明に係る靴中敷および靴底は、足指部より後方における外側縁部に形成される外側突出部と、足指部より後方における内側縁部に形成される内側突出部と、前記外側突出部と前記内側突出部との間に形成される中間凹状部と、を有し、前記中間凹状部は、内側にずれていることを特徴とする。
【０００７】
本発明によれば、中間凹状部が内側にずれていることとしたので、この靴中敷および靴底を使用すると、足裏の形に関わらず、立っている状態においては脚の内側に荷重が掛かる。脚の内側に荷重が掛かると、適度な脚の緊張により美脚の効果が期待でき、Ｏ脚の矯正も期待できる。このようにして、足裏の形に関わらず脚全体の美しさや健康に役立つ靴中敷および靴底を提供することができる。
【０００８】
また、前記外側突出部の突出量は、前記内側突出部の突出量よりも大きくすることとしたので、脚の内側に係る荷重を更に大きくすることができる。
【０００９】
また、前記中間凹状部から前記外側突出部の最外縁部まで、および、前記中間凹状部から前記内側突出部の最内縁部まで、における各外表面は、漸次上昇して傾斜するように形成されるので、脚の内側に荷重を容易に掛けることができる。
【００１０】
また、前記中間凹状部から前記外側突出部の前記最外縁部まで、および、前記中間凹状部から前記内側突出部の前記最内縁部まで、における前記各外表面が漸次上昇して傾斜する各傾斜角度は、前記外側突出部よりも前記内側突出部の方を大きくすることとしたので、外側突出部を大きく形成することができる。
【００１１】
また、前記外側突出部および前記内側突出部は、踵部まで延設されて接続することとしたので、踵部は凹状に形成されて、脚の踵を確実に支持することができる。これにより、真っ直ぐな歩行をサポートすることができる。
【００１２】
また、踏付け部には、前側突出部が形成されるので、歩行時に足指に力が入り易くなり、歩幅も大きくすることができ、ウォーキングの効率を高めることができる。
【００１３】
また、前記前側突出部は、四角形状の外形形状とされ、前側の内側角部が前側の外側角部よりも前側に位置して前記前側の内側角部と前記前側の外側角部との接続線が内側から外側に下るように形成されると共に該接続線は足指部の後端ラインに沿うように形成され、後側の内側角部が後側の外側角部よりも前側に位置して前記後側の内側角部と前記後側の外側角部との接続線の中央部が前方に向けて窪んで形成され、前記外側突出部および前記内側突出部は、前記前側突出部よりも後方に形成されるので、さらに確実に、歩行時の足指に力が入るようになり、ウォーキングの効率を更に高めることができる。
【００１４】
また、前記外側突出部、前記内側突出部および前記中間凹状部を含む本体は、軟質材からなり、前記本体の踏まず部から踵部までの裏面を覆う後方支持部材を備え、当該後方支持部材は前記本体よりも硬質な硬質材からなることとしたので、後方支持部材により足の踵を確実に支持しながら、歩行時の踵の着地衝撃力を緩和することができる。
【００１５】
前記軟質材および前記硬質材は、それぞれ軟質発泡材および硬質発泡材とすることとしたので、歩行時の踵の着地衝撃力を更に吸収し緩和することができる。
【００１６】
前記後方支持部材には、前記本体の裏面が露出する踵開口部が踵部に形成される。また、前記後方支持部材には、前記踏まず部の外側縁部に前記本体の裏面が露出する外側開口部が形成される。これにより、さらに踵開口部や踏まず部の外側開口部から本体の裏面が露出し、歩行時の着地衝撃力を更に一層緩和することができる。また、踵開口部や踏まず部の外側開口部から本体の裏面が露出することで後方支持部材の本体への固定を確実とすることができる。
【００１７】
また、前記後方支持部材の前端は、前記前側突出部の後端よりも後方に位置するので、踏まず部周辺で歩行時に硬質の後方支持部材が障害となることなく足裏の動きに対応して靴中敷および靴底を柔軟に湾曲させることができる。
【００１８】
また、前記後方支持部材の前端には、円弧状の円弧突起が左右方向に亘って形成されるので、靴中敷および靴底の意匠性を高めることができる。
【００１９】
前記後方支持部材の外表面の踏まず部には、湾曲した形状の溝が形成されることとしたので、より詳しくは、前記後方支持部材の外表面の踏まず部には、中央軸線上に、外周を溝状として開口側を内側に向ける三日月部と、該三日月部よりも内側には円弧状の複数の凹溝が形成されて、前記三日月部の内側の円弧の曲率と前記複数の凹溝の円弧の曲率は同じであることとしたので、歩行時に後方支持部材が足裏の動きに対応して湾曲し易くなり、ウォーキングの効率を高めることができる。
【００２０】
また、前記後方支持部材の外表面の前記踵部には、溝が前記踵部の外周縁部に配置されることとしたので、より詳しくは、前記後方支持部材の外表面の前記踵部には、溝が前記踵部の外周縁部にＵ字状となるよう複数配置されるので、さらに確実に足の踵の周囲をサポートすることができるとともに、靴の内面との面圧が高まるので、靴中敷を滑り難くすることができる。
【発明の効果】
【００２１】
本発明によれば、足裏の形に関わらず脚全体の美しさや健康が期待できる靴中敷および靴底を提供することができる。
【図面の簡単な説明】
【００２２】
【図１】本発明の実施形態に係る靴中敷を靴底に設けた状態を示す側面図である。
【図２】本発明の実施形態に係る靴中敷の表側の面を示す図である。
【図３】本発明の実施形態に係る靴中敷の裏側の面を示す図である。
【図４】本発明の実施形態に係る靴中敷の表側から見た斜視図である。
【図５】本発明の実施形態に係る靴中敷の図２のＩＶ−ＩＶ断面図である。
【図６】本発明の実施形態に係る靴中敷の図３のＶ−Ｖ断面図である。
【図７】本発明の応用例を示す側面図である。
【発明を実施するための形態】
【００２３】
次に、本発明の実施形態を図に基づいて説明する。なお、図１〜図４は、左足用の靴中敷１０のみを示し、右足用は左足用と対称のため省略する。また、以下の説明においては、つま先側を前側とし踵側を後方として、更に前後方向に対し側方を左右とし、靴中敷１０の各部の名称は、人の足裏の名称に対応させて、前方から、足の指部に対応する部位として足指部Ａ、足の指部の後端から足の土踏まず部の前端までの領域に対応する踏付け部Ｂ、足の土踏まず部に対応する部位として踏まず部Ｃ、足の踵部に対応する部位として踵部Ｄ（図２、図３、図５）とする。また、足裏の土踏まず側を内側、その反対側を外側として説明する。
【００２４】
靴中敷１０は、図１に示すように、靴１００の靴底１０´の表面側に設けられる。靴中敷１０は、人の足裏形状に略合致する外形形状の本体２０より詳しくは中敷本体２０と、中敷本体２０の踏まず部Ｃから踵部Ｄまでの裏面を覆う後方支持部材３０と、を備える。中敷本体２０は、軟質な軟質材、より詳しくは軟質発泡材、更に詳しくは樹脂製の軟質発泡材からなり、後方支持部材３０は中敷本体２０よりも硬質な硬質材、より詳しくは硬質発泡材、更に詳しくは樹脂製の硬質発泡材からなる。中敷本体２０の表面２０ａには、吸湿性の布２０ｂ（図５、図６参照）が貼り付けられて、肌触りを良くしている。中敷本体２０には、後述するように、前側突出部２１、外側突出部２２、内側突出部２３、中間凹状部２４、接続突出部２５等が形成される。
【００２５】
図２、図４、図５に示すように、靴中敷１０（中敷本体２０）の足指部Ａおよび踏付け部Ｂは、略板状とされる。中敷本体２０の足指部Ａは、肉厚が比較的薄く形成されて、足指部Ａにおける中敷本体２０の外表面である表面２０ａは略平坦面とされている。中敷本体２０の表面２０ａにおける踏付け部Ｂには、前側突出部２１が形成される。前側突出部２１は、足指部Ａと連続する、肉厚の薄い箇所の表面２０ａから５ｍｍ程度突出して、比較的肉厚に形成される。前側突出部２１は、図２の平面視において略四角形状の外形形状とされる。前側突出部２１の各角部（前側の外側角部ＣＦ１、前側の内側角部ＣＦ２、後側の外側角部ＣＦ３、後側の内側角部ＣＦ４）は、湾曲状より詳しくは略円弧状とされる。
【００２６】
前側突出部２１の前側の内側角部ＣＦ２は、前側の外側角部ＣＦ１よりも前側に位置する。前側の内側角部ＣＦ２と前側の外側角部ＣＦ１を接続する接続線ＦＬは、内側から外側に下るように形成される。このようにして、接続線ＦＬは、足裏における足指の根元に対応して、足指部Ａの後端ラインに沿うように形成されている。
【００２７】
また、後側の内側角部ＣＦ４は後側の外側角部ＣＦ３よりも前側に位置する。後側の内側角部ＣＦ４と後側の外側角部ＣＦ３との接続線ＢＬは、中央部が前方に向けて湾曲して窪んだ窪み部２１ａが形成される。さらに、前側の外側角部ＣＦ１と後側の外側角部ＣＦ３との接続線ＯＬおよび前側の内側角部ＣＦ２と後側の内側角部ＣＦ４との接続線ＩＬは、それぞれ外方（すなわち図２の左右方向）に向けて膨出するように形成される。
【００２８】
前側突出部２１よりも後方（すなわち、靴中敷１０における足指部Ａより後方）である踏まず部Ｃに対応する位置には、靴中敷１０（中敷本体２０）の外側縁部に形成される外側突出部２２と、内側縁部に形成される内側突出部２３とが設けられる。外側突出部２２および内側突出部２３は、前側突出部２１の前後の平坦面から大きく盛り上がるように突出して形成される。
【００２９】
外側突出部２２と内側突出部２３とは、所定の間隔で離隔される。従って、外側突出部２２と内側突出部２３との間には、中間凹状部２４が形成される。外側突出部２２の突出量は、内側突出部２３の突出量よりも大きい。すなわち、外側突出部２２は、内側突出部２３よりも大きく（広範囲に）突出して形成される。従って、中間凹状部２４は、靴中敷１０の左右方向の中心から内側にずれて形成される。
【００３０】
また、図６に示すように、中間凹状部２４から外側突出部２２の最外縁部まで、および、中間凹状部２４から内側突出部２３の最内縁部まで、における各外表面（表面２０ａ）は、断面視において漸次上昇して傾斜するように形成される。そして、中間凹状部２４から外側突出部２２の最外縁部までにおける傾斜角度α１は、中間凹状部２４から内側突出部２３の最内縁部までにおける傾斜角度α２よりも小さい。すなわち、外側突出部２２および内側突出部２３における各傾斜角度は、外側突出部２２よりも内側突出部２３の方が大きい。
【００３１】
なお、外側突出部２２の傾斜角度α１および内側突出部２３の傾斜角度α２は、それぞれ前方側が小さく形成されて、後方に向かうに従って大きくなり、靴中敷１０の前後方向の略中央部分から後方の踵部Ｄ周辺（踵部Ｄの前部付近）までは略一定とされる。
【００３２】
外側突出部２２と内側突出部２３は、後方の踵部Ｄまで延設されて、互いに接続して接続突出部２５が形成される。従って、中敷本体２０の踵部Ｄの表面２０ａは窪むように凹状に形成されて、足の踵の周囲がフィットする。
【００３３】
図３に示すように、中敷本体２０の裏面は、略平坦面として形成される。外側突出部２２、内側突出部２３、接続突出部２５の背面に相当する領域（外側突出部２２の背面２０ｃ１、内側突出部２３の背面２０ｃ２、接続突出部２５の背面２０ｃ３）は、靴中敷１０の底面から立ち上がるように形成される。中敷本体２０の背面２０ｃ１，２０ｃ２，２０ｃ３および足指部Ａおよび踏付け部Ｂに亘る領域の裏面には、格子状の溝２０ｄが施されて、細かい凹凸が形成される。これにより、靴１００に装着した際に、靴中敷１０の裏面（底面）および各背面（中敷本体２０の背面２０ｃ１，２０ｃ２，２０ｃ３）と靴１００の内面との面圧が高まるので、靴中敷１０を滑り難くすることができる。また、中敷本体２０の先端部には、靴１００のサイズに合わせて鋏で切り取ることができるようにサイズ目安線２０ｅが、溝状に、サイズを示す数字と共に形成される。
【００３４】
図５および図６に示すように、後方支持部材３０は、踏まず部Ｃおよび踵部Ｄに亘る中敷本体２０の裏面に貼り付けられる。すなわち、後方支持部材３０は、左右の縁部と後端部が、中敷本体２０の背面２０ｃ１，２０ｃ２，２０ｃ３と略連続するように、それぞれ靴中敷１０の裏面側から立ち上がるよう形成される。後方支持部材３０は、靴中敷１０の裏面側が略平坦に形成され、足指部Ａおよび踏付け部Ｂに亘る中敷本体２０の裏面と略連続する。
【００３５】
図３に示すように、後方支持部材３０の前端には、前方に向けて湾曲状より詳しくは凸円弧状とされる平面視略円弧状の複数である５個の円弧突起３０ａ１〜３０ａ５が左右方向に亘って形成される。複数の円弧突起３０ａ１〜３０ａ５は、中央の円弧突起３０ａ３が最先端に位置するように、山形に配置される。中央の円弧突起３０ａ３（すなわち後方支持部材３０の前端）は、前側突出部２１と重なる位置とならないように、前側突出部２１の後端よりも後方に位置する。従って、前側突出部２１により押圧される足裏の踏付け部において、歩行時の違和感が低減される。
【００３６】
図３および図６にも示すように、後方支持部材３０の外表面（裏面）の踏まず部Ｃには、湾曲した形状の溝３１，３１ａ，３２ａ，３２ｂ，３２ｃが形成されている。より詳しくは、後方支持部材３０の外表面（裏面）の踏まず部Ｃには、靴中敷１０の中央軸線Ｌ上に、外周が湾曲した溝状に形成されて開口側を内側に向ける三日月部３１が形成される。三日月部３１よりも内側には、湾曲状より詳しくは円弧状の複数である３本の凹溝３２ａ，３２ｂ，３２ｃが形成される。そして、三日月部３１の内側の円弧３１ａの曲率と、複数の凹溝３２ａ，３２ｂ，３２ｃの円弧の曲率はほぼ同じである。
【００３７】
後方支持部材３０の踏まず部Ｃの外側縁部には、略楕円形の外側開口部３３が形成される。この外側開口部３３からは、軟質発泡材で形成される中敷本体２０の裏面が露出して、硬質発泡材で形成される後方支持部材３０の裏面と略連続した面が形成される。
【００３８】
また、図３および図５にも示すように、後方支持部材３０の踵部Ｄには、踵開口部３４が形成される。踵開口部３４からは、軟質発泡材で形成される中敷本体２０の裏面が露出して、硬質発泡材で形成される後方支持部材３０の裏面と略連続した面が形成される。
【００３９】
また、後方支持部材３０の外表面（裏面）の踵部Ｄには、外周縁部に複数である７個の溝より詳しくは補強溝３６ａ〜３６ｆが設けられる。補強溝３６ａ〜３６ｆは、角部をＲ面取りされた長矩形状（いわゆる長孔形状）に凹状の溝が形成されて、略Ｕ字状となるよう配置される。従って、略Ｕ字の端部に配置される補強溝３６ａ，３６ｆは、それぞれ直線状に形成され、略Ｕ字状の湾曲部に配置される補強溝３６ｂ，３６ｃ，３６ｄ，３６ｅは、やや湾曲して形成される。
【００４０】
このように形成される靴中敷１０をスニーカー等の靴１００にセットして履くと、この靴１００を履く人の足裏の形に関わらず、起立の姿勢の時には、中間凹状部２４が中心より内側にずれており、外側突出部２２の突出量が内側突出部２３よりも大きいので、足裏の外側が上方に位置することとなる。すると、脚の内側に荷重が掛かり、脚の内側の筋肉を多く使用する緊張状態が持続される。足の内側の筋肉の緊張状態が持続すると、脚の内側の脂肪が燃焼され、美脚効果が期待できることができるとともに、真直ぐな歩行をサポートすることができる。更に、脚全体に外側から内側に矯正する力が働くので、Ｏ脚である者にも、すらりと伸びた脚を理想とする美脚効果が期待できる。
【００４１】
そして、靴中敷１０を挿入した靴１００で歩行した場合には、前側突出部２１が足裏の踏付け部を押圧し、さらに足指の基部に前側突出部２１の前端がほぼ位置するので、足指に力を入れて歩くことができ、歩幅も大きくなり、従って運動量の増加により脂肪が燃焼されて、ウォーキングによるダイエット効果の増大が期待できることとなる。
【００４２】
そして、後方支持部材３０により、踵の周囲がサポートされるので、外側突出部２２や内側突出部２３により足裏が押圧されても起立状態や歩行状態で不安定になることなく、通常と同様に運動等を行うことができる。また、外側開口部３３や踵開口部３４から中敷本体２０が露出して靴中敷１０の裏面を構成しているので、歩行時に足裏の踵や外側で受ける衝撃を緩和することができる。
【００４３】
以上説明したように、本発明によれば、中間凹状部２４が左右方向の中心から内側にずれることとしたので、足裏の形に関わらず、立っている状態においては脚の内側に荷重が掛かる。これにより、適度な脚の緊張により美脚の効果が期待でき、Ｏ脚の矯正も期待できる。よって、足裏の形に関わらず脚全体の美しさや健康に役立つ靴中敷を提供することができる。
【００４４】
また、外側突出部２２の突出量は、内側突出部２３の突出量よりも大きくすることとしたので、脚の内側に係る荷重を更に大きくすることができる。
【００４５】
また、中間凹状部２４から外側突出部２２の最外縁部まで、および、中間凹状部２４から内側突出部２３の最内縁部まで、における各外表面は、断面視において漸次上昇して傾斜するよう形成されるので、脚の内側に荷重を容易に掛けることができる。
【００４６】
また、中間凹状部２４から外側突出部２２の最外縁部まで、および、中間凹状部２４から内側突出部２３の最内縁部まで、における各外表面が断面視において漸次上昇して傾斜する各傾斜角度α１，α２は、外側突出部２２よりも内側突出部２３の方を大きくすることとしたので、外側突出部２２を大きく形成することができる。
【００４７】
また、外側突出部２２および内側突出部２３は、踵部Ｄまで延設されて接続することとしたので、踵部Ｄは凹状に形成されて、脚の踵を確実に支持することができる。これにより、真っ直ぐな歩行をサポートすることができる。
【００４８】
また、踏付け部Ｂには、前側突出部２１が形成されるので、歩行時に足指に力が入り易くなり、歩幅も大きくすることができ、ウォーキングの効率を高めることができる。
【００４９】
また、前側突出部２１は、角部ＣＦ１〜ＣＦ４を円弧状とする四角形状の外形形状とされ、前側の内側角部ＣＦ２が前側の外側角部ＣＦ１よりも前側に位置して前側の内側角部ＣＦ２と前側の外側角部ＣＦ１との接続線ＦＬが内側から外側に下るように形成されると共に該接続線ＦＬは足指部Ａの後端ラインに沿うように形成され、後側の内側角部ＣＦ４が後側の外側角部ＣＦ３よりも前側に位置して後側の内側角部ＣＦ４と後側の外側角部ＣＦ３との接続線ＢＬの中央部が前方に向けて湾曲して窪んで形成され、外側突出部２２および内側突出部２３は、前側突出部２１よりも後方に形成されるので、さらに確実に、歩行時の足指に力が入るようになり、ウォーキングの効率を更に高めることができる。
【００５０】
また、外側突出部２２、内側突出部２３および中間凹状部２４を含む中敷本体２０は、軟質発泡材からなり、中敷本体２０の踏まず部Ｃから踵部Ｄまでの裏面を覆う後方支持部材３０を備え、当該後方支持部材３０は中敷本体２０よりも硬質な硬質発泡材からなることとしたので、後方支持部材３０により足の踵を確実に支持しながら、歩行時の踵の着地衝撃力を緩和することができる。
【００５１】
後方支持部材３０には、中敷本体２０の裏面が露出する踵開口部３４が踵部Ｄに形成される。また、後方支持部材３０には、踏まず部Ｃの外側縁部に中敷本体２０の裏面が露出する外側開口部３３が形成される。これにより、さらに踵開口部３４や踏まず部Ｃの外側開口部３３から中敷本体２０の裏面が露出し、歩行時の着地衝撃力を更に一層緩和することができる。また、踵開口部３４や踏まず部Ｃの外側開口部３３から中敷本体２０の裏面が露出することで後方支持部材３０の中敷本体２０への固定を確実とすることができる。
【００５２】
また、後方支持部材３０の前端は、前側突出部２１の後端よりも後方に位置するので、踏まず部Ｃ周辺で歩行時に硬質の後方支持部材３０が障害となることなく足裏の動きに対応して靴中敷１０の湾曲を柔軟に行うことができる。
【００５３】
また、後方支持部材３０の前端には、平面視円弧状の円弧突起３０ａ１〜３０ａ５が左右方向に亘って形成されるので、靴中敷１０の意匠性を高めることができる。
【００５４】
また、後方支持部材３０の外表面の踏まず部Ｃには、湾曲した形状の溝３１，３１ａ，３２ａ，３２ｂ，３２ｃが形成されることとしたので、より詳しくは、中央軸線Ｌ上に、外周を湾曲した溝状として開口側を内側に向ける三日月部３１と、該三日月部３１よりも内側には湾曲状より詳しくは円弧状の複数の凹溝３２ａ〜３２ｃが形成されて、三日月部３１の内側の円弧３１ａの曲率と複数の凹溝３２ａ〜３２ｃの円弧の曲率は同じとすることとしたので、歩行時に後方支持部材３０が足裏の動きに対応して湾曲し易くなり、ウォーキングの効率を高めることができる。
【００５５】
また、後方支持部材３０の外表面の踵部Ｄには、補強溝３６ａ〜３６ｆが踵部Ｄの外周縁部にＵ字状となるよう複数配置されるので、さらに確実に足の踵の周囲をサポートすることができるとともに、靴１００の内面との面圧が高まるので、靴中敷１０を滑り難くすることができる。
【００５６】
以上、本発明の実施形態を説明したが、本発明は本実施形態によって限定されることは無く、種々の変更を加えて実施することができる。
【００５７】
すなわち、上述した実施形態にあっては、靴底１０´に靴中敷１０を設けることとしているが、靴底１０´を上述した靴中敷１０と同様の構成とすることとしても所要の効果を奏する。この場合、図７に示すように靴１００の靴底１０´の構成を上述した靴中敷１０の構成に読み替えられる。
【００５８】
すなわち、靴底１０´において上述の構成を採用することにより、同様に、足裏の形に関わらず脚全体の美しさや健康が期待できる。靴底１０´において上述の構成を採用する場合、中敷本体２０は靴底本体２０と読み替えられる。また、靴底１０´に読み替える場合、サイズ目安線２０ｅは省略される。
【００５９】
より詳しくは、靴底１０´は、足指部Ａより後方における外側縁部に形成される外側突出部２２と、足指部Ａより後方における内側縁部に形成される内側突出部２３と、外側突出部２２と内側突出部２３との間に形成される中間凹状部２４と、を有し、中間凹状部２４は、左右方向の中心から内側にずれている。
【００６０】
また、靴底１０´の外側突出部２２の突出量は、内側突出部２３の突出量よりも大きく設定される。
【００６１】
また、靴底１０´の中間凹状部２４から外側突出部２２の最外縁部まで、および、中間凹状部２４から内側突出部２３の最内縁部まで、における各外表面は、断面視において漸次上昇して傾斜するよう形成される。
【００６２】
また、靴底１０´の中間凹状部２４から外側突出部２２の最外縁部まで、および、中間凹状部２４から内側突出部２３の最内縁部まで、における各外表面が断面視において漸次上昇して傾斜する各傾斜角度α１，α２は、外側突出部２２よりも内側突出部２３の方を大きく設定される。
【００６３】
また、靴底１０´の外側突出部２２および内側突出部２３は、踵部Ｄまで延設されて接続する。
また、靴底１０´の踏付け部Ｃには、前側突出部２１が形成される。
【００６４】
また、靴底１０´の前側突出部２１は、角部ＣＦ１〜ＣＦ４を円弧状とする四角形状の外形形状とされ、前側の内側角部ＣＦ２が前側の外側角部ＣＦ１よりも前側に位置して前側の内側角部ＣＦ２と前側の外側角部ＣＦ１との接続線ＦＬが内側から外側に下るように形成されると共に該接続線ＦＬは足指部Ａの後端ラインに沿うように形成され、後側の内側角部ＣＦ４が後側の外側角部ＣＦ３よりも前側に位置して後側の内側角部ＣＦ４と後側の外側角部ＣＦ３との接続線ＯＬの中央部が前方に向けて湾曲して窪んで形成され、外側突出部２２および内側突出部２３は、前側突出部２１よりも後方に形成される。
【００６５】
また、靴底１０´の外側突出部２２、内側突出部２３および中間凹状部２４を含む靴底本体２０´は、軟質材からなり、靴底本体２０´は、靴底本体２０´の踏まず部Ｃから踵部Ｄまでの裏面を覆う後方支持部材３０を備え、当該後方支持部材３０は靴底本体２０´よりも硬質な硬質材からなり、軟質材および硬質材は、それぞれ樹脂製の軟質発泡材および硬質発泡材とする。
【００６６】
また、靴底１０´の後方支持部材３０には、靴底本体１０´の裏面が露出する踵開口部３４が踵部Ｄに形成される。
【００６７】
また、靴底１０´の後方支持部材３０には、踏まず部Ｃの外側縁部に靴底本体２０´の裏面が露出する外側開口部３３が形成される。
【００６８】
また、靴底１０´の後方支持部材３０の前端は、前側突出部２１の後端よりも後方に位置する。
【００６９】
また、靴底１０´の後方支持部材３０の前端には、円弧状の円弧突起３０ａ１〜３０ａ５が左右方向に亘って形成される。
【００７０】
また、靴底１０´の後方支持部材３０の外表面の踏まず部Ｃには、湾曲した形状の溝３１，３１ａ，３２ａ，３２ｂ，３２ｃが形成される、より詳しくは、靴底１０´の後方支持部材３０の外表面の踏まず部Ｃには、中央軸線Ｌ上に、外周を溝状として開口側を内側に向ける三日月部３１と、該三日月部３１よりも内側には円弧状の複数の凹溝３２ａ〜３２ｃが形成されて、三日月部３１の内側の円弧３１ａの曲率と前記複数の凹溝３２ａ〜３２ｃの円弧の曲率は同じとされる。
【００７１】
また、靴底１０´の後方支持部材３０の外表面の踵部Ｄには、溝３６ａ〜３６ｆが踵部Ｄの外周縁部に複数配置される、より詳しくは、靴底１０´の後方支持部材３０の外表面の踵部Ｄには、溝３６ａ〜３６ｆが踵部Ｄの外周縁部にＵ字状となるよう複数配置される。
【００７２】
靴底１０´を上記の構成とすることで、中敷１０と同様に足裏の形に関わらず脚全体の美しさや健康が期待できる。
【符号の説明】
【００７３】
１０      靴中敷                  ２０      中敷本体（本体）
２０ａ    表面                    ２０ｂ    布
２０ｃ１  背面                    ２０ｃ２  背面
２０ｃ３  背面                    ２０ｄ    溝
２０ｅ    サイズ目安線            ２１      前側突出部
２１ａ    窪み部                  ２２      外側突出部
２３      内側突出部              ２４      中間凹状部
２５      接続突出部              ３０      後方支持部材
３０ａ１〜３０ａ５  円弧突起
３１      三日月部                ３１ａ    円弧
３２ａ〜３２ｃ    凹溝
３３      外側開口部              ３４      踵開口部
３６ａ〜３６ｆ    補強溝
Ａ        足指部                  Ｂ        踏付け部
ＢＬ      接続線                  Ｃ        踏まず部
ＣＦ１    前側の外側角部          ＣＦ２    前側の内側角部
ＣＦ３    後側の外側角部          ＣＦ４    後側の内側角部
Ｄ        踵部                    ＦＬ      接続線
ＩＬ      接続線                  Ｌ        中央軸線
ＯＬ      接続線                  α１      傾斜角度
α２      傾斜角度
１０´    靴底
１００    靴
【図１】
2019076344.tif 000003
【図２】
2019076344.tif 000004
【図３】
2019076344.tif 000005
【図４】
2019076344.tif 000006
【図５】
2019076344.tif 000007
【図６】
2019076344.tif 000008
【図７】
2019076344.tif 000009